(57)【要約】【課題】蛍光灯の交換が安全かつ容易に行える支持部材および照明器具を提供する。【解決手段】蛍光ランプ３の放電する経路に直交する方向の断面の中心を中心Ｏとし、その中心Ｏを通り、照明器具本体の取り付け面Ｂに垂直な線を垂線Ｓとおく。垂線Ｓと取り付け面Ｂが交わる点を中心線Ｎとおく。ランプホルダ５は、回転軸５１と、アーム５２と、ホルダ台５３と、を備える。アーム５２は線対称の形状であり、対称軸を線分Ｌとする。アーム５２の向きを、蛍光ランプ３の放電する経路に直交する平面内で回転軸５１を中心として回動可能な向きとなるようにしておき、ホルダ台５３を中心線Ｎ上に取り付ける。アーム５２を回動させ、線分Ｌの傾きを変化させ、常に線分Ｌが蛍光ランプ３の中心Ｏを通るようにすることができ、蛍光ランプ３にかかる応力を少なくすることができる。【選択図】図２
2010097782.tif 000002
【特許請求の範囲】
【請求項１】
照明器具の本体部に蛍光灯を支持させる支持部材であって、
前記蛍光灯を支持する位置の蛍光灯の管に対向する前記本体部の取り付け面の位置を支点として、前記蛍光灯の放電する経路に直交する方向に移動可能であることを特徴とする支持部材。
【請求項２】
前記支持部材は、前記蛍光灯を前記照明器具に取り付けたときの前記蛍光灯の放電する経路で張られる平面と平行に移動可能であることを特徴とする請求項１に記載の支持部材。
【請求項３】
前記支持部材は、前記支点を中心に回動可能であることを特徴とする請求項１に記載の支持部材。
【請求項４】
前記支持部材は、前記蛍光灯を前記照明器具に取り付けたときの前記蛍光灯の放電する経路で張られる平面と平行に移動可能であって、かつ、前記支点を中心に回動可能であることを特徴とする請求項１ないし３のいずれか１項に記載の支持部材。
【請求項５】
前記支持部材は、前記蛍光灯の放電する経路に直交する断面を取り囲むように支持する円弧状のアームを備えることを特徴とする請求項１ないし４のいずれか１項に記載の支持部材。
【請求項６】
前記支持部材は、前記蛍光灯の放電する経路に直交する断面を両側から挟み込むように支持する２本のアームを備えることを特徴とする請求項１ないし４のいずれか１項に記載の支持部材。
【請求項７】
環状の蛍光灯を使用する照明器具であって、
請求項１ないし６のいずれか１項に記載の支持部材を少なくとも１つ備え、
前記蛍光灯を前記支持部材が支持する位置を含む２つ以上の位置で、前記蛍光灯を支持することを特徴とする照明器具。
【発明の詳細な説明】
【技術分野】
【０００１】
本発明は、支持部材および照明器具に関する。
【背景技術】
【０００２】
以前から、環形蛍光灯を備えた天井吊り下げ型の照明器具、もしくは、天井直付け型の照明器具が使用されている。環形蛍光灯などの蛍光ランプは管径および管長が規格化されている。以下、管径とは蛍光管の太さ（直径）を示し、管長とは蛍光管の環形の大きさ（直径）を示す。
【０００３】
蛍光ランプは、その規格寸法公差内ではあるが各メーカー毎に管径および管長が異なることがある。また、蛍光管はガラスで形成されているため、管径および管長にばらつきが生じる。そのため、照明器具に合わせた定格の蛍光ランプであっても、固定された支持部材に嵌め合わせにくい場合がある。また、照明器具は高い位置にあることがほとんどであり、蛍光ランプの交換は、はしごなどの上での足場が不安定な位置での作業となるため、容易に短時間で、大きな力を要することなく、作業できることが好ましい。
【０００４】
また、照明器具には、蛍光ランプを電気的に接続するためのソケットがあるが、蛍光ランプが支持部材に固定された状態では、ランプピンとソケットを嵌合させにくかったり、ランプピンとソケットの間に無用な応力がかかる場合がある。
【０００５】
関連する技術の蛍光ランプホルダの一例を図７に示す。図７のランプホルダは、蛍光ランプの中心とアームの中心が同じ位置にある場合は、最も少ない力で蛍光ランプを支持させることができるので、さほど問題は生じない。しかし、左右どちらかにずれた場合は、取り付ける際に、ランプホルダ片側のアームを大きく開くための負荷がかかり、蛍光ランプに余計な応力がかかる場合がある。取り付け後においても、蛍光ランプがランプホルダに固定されるため、ソケットと蛍光ランプの間に無用な応力がかかる場合がある。
【０００６】
特許文献１には、天井吊り下げ灯において、器具本体に一対のランプホルダーを回動自在に支持し、ランプ交換の時に、ランプホルダーを下方へ垂れ下がらせ、円環形蛍光ランプを容易に着脱できる照明器具について記載されている。
【０００７】
特許文献２には、ランプにて押し移動される被操作部材を設け、この被操作部材の移動に伴って支持体を保持解除状態から保持状態に操作する操作機構を設けたランプの保持構造について記載されている。ランプを保持する保持状態と、ランプの脱着を許容する保持解除状態とに切り換えができ、ランプを器具本体に取り付ける作業の効率を改善する。
【０００８】
特許文献３には、器具本体に設けられたランプホルダに管形ランプバルブを支持させた照明器具において、上記ホルダの腕部には管形ランプのバルブ受容部を有するとともにその先端に進退可能なバルブ把持体があり、このバルブ受容部および把持体とで協同してランプバルブを支持していることが記載されている。照明器具へ管形ランプを装着するに際し、ランプホルダとの当接によるバルブの破損防止および装着作業が容易にできるとともに落下防止を図れる。
【０００９】
特許文献４には、環形蛍光ランプの着脱を簡単にし、かつ保持を確実にする事が記載されている。器具本体側に、環形蛍光ランプを着脱可能に保持する第１のランプホルダ体と第２のランプホルダ体を対称位置に設け、第２のランプホルダ体は、第１のランプホルダ体との対称方向に移動可能に設けたラッチを有し、ラッチを対称方向の外方に付勢する付勢手段を有する。ラッチには、器具本体側に臨んで環形蛍光ランプを保持する保持部を設け、器具本体側と反対側に臨んで環形蛍光ランプを保持部に導く傾斜状の導入部を設ける。
【００１０】
特許文献５には、照明器具の台座に枢着した二本の取付リンクと、二本の支持リンクとによって四節リンク機構を形成し、支持リンク先端の支持具によって円形蛍光灯の内側を保持することで、着脱操作時に、取っ手を上下移動して支持リンク等を回動し、支持具を相互に進退する簡易な操作により安定した状態とすることが記載されている。
【００１１】
特許文献６には、照明器具はコネクタ部とソケットとを有し、ソケットはランプの端子と電気的に接続されるようにされたランプ側端部を有する本体部と、ランプ側端部に形成された弧状部を有するレバーとを有している。レバーは、ランプの端子がランプ側端部に挿入・引抜きされる方向を含む面内で回転するように、本体部に取付けられ、ランプの端子がランプ側端部に挿入されたときには、ランプに押されて本体部の中に収められ、他端部がレバーの回転方向に押されたときには、ランプの端子がランプ側端部から引抜かれるようにランプを押し、ランプのソケットへの取付け、取外しを容易におこなうことが記載されている。
【００１２】
【特許文献１】特開平０５−０８１９１６号公報
【特許文献２】実開平０６−０５０２８２号公報
【特許文献３】特開平０６−０９６６１１号公報
【特許文献４】特開平１０−１４４１２７号公報
【特許文献５】特開２００４−１１１１７１号公報
【特許文献６】特開２００７−０８７８０２号公報
【発明の開示】
【発明が解決しようとする課題】
【００１３】
特許文献１、３、５では、照明器具本体と近接して取り付けられている蛍光ランプを、作業がしやすい位置や見えやすい位置に引き出すなどして移動させ、蛍光ランプの交換作業を安全に行っている。しかし、交換する蛍光ランプの管径および管長が異なった場合は、取り付けや取り外しの際に、蛍光ランプに過度に力を加えることがある。また、蛍光ランプを支持するランプホルダを照明器具本体から離れた位置までスライドさせるなど、照明器具に機構を備えたりしなければならず、また、照明器具のデザイン性が損なわれる場合がある。
【００１４】
特許文献２の技術は、蛍光ランプを取り付け位置に備えた後の、保持状態と保持解除状態の切り替えについてであり、容易に蛍光ランプの交換が可能となる。しかし、蛍光ランプの管径および管長が異なる場合については考慮されていない。蛍光ランプが大きく保持状態が不十分となる場合は、蛍光ランプの落下を招く場合がある。特許文献４では、移動可能に設けたラッチに蛍光ランプを保持する機能を備えて、容易に蛍光ランプの交換が可能であり、かつ、蛍光ランプの管径が異なった場合にも対応可能である。しかし、照明器具に移動可能で付勢手段を有する保持機構を備えたりしなければならず、また、照明器具のデザイン性が損なわれる場合がある。
【００１５】
特許文献６では、ランプホルダではなく、蛍光ランプの電気的接続を行うソケット側について記載がされている。蛍光ランプを取り付ける際は、ソケットのレバーを切り替え、状態を保持させることで、容易に照明器具本体と電気的接続を維持したまま、蛍光ランプを取り付けることができる。しかし、ランプホルダにより蛍光ランプが固定された場合、蛍光ランプの管径および管長によっては、支持部材と蛍光ランプとの間に応力が生じうることに変わりはない。
【００１６】
本発明は、上記事情に鑑みてなされたものであり、蛍光灯の交換が安全かつ容易に行える支持部材および照明器具を提供することを目的とする。
【課題を解決するための手段】
【００１７】
本発明の第１の観点に係る支持部材は、
照明器具の本体部に蛍光灯を支持させる支持部材であって、
前記蛍光灯を支持する位置の蛍光灯の管に対向する前記本体部の取り付け面の位置を支点として、前記蛍光灯の放電する経路に直交する方向に移動可能であることを特徴とする。
【００１８】
本発明の第２の観点に係る照明器具は、
環状の蛍光灯を使用する照明器具であって、
本発明の第１の観点に係る支持部材を少なくとも１つ備え、
前記蛍光灯を前記支持部材が支持する位置を含む２つ以上の位置で、前記蛍光灯を支持することを特徴とする。
【発明の効果】
【００１９】
本発明によれば、蛍光灯の交換が安全かつ容易に行うことができる。
【発明を実施するための最良の形態】
【００２０】
以下、この発明の実施の形態について図面を参照しながら詳細に説明する。なお、図中同一または相当部分には同一符号を付す。
【００２１】
図１は、本発明の実施の形態に係る直付け照明器具の斜視図である。図２は、本発明の実施の形態に係る支持部材と蛍光ランプとの関係を示す構成概略図である。図２（ａ）は外装側から見た平面図であり、図２（ｂ）は図２（ａ）のＧ−Ｇ線断面図である。
【００２２】
照明器具１は、照明器具本体２、蛍光ランプ３、ランプソケット４、ランプホルダ（支持部材）５、点灯回路７、遠隔制御受信部８、外装９を備える。蛍光ランプ３、ランプソケット４、ランプホルダ（支持部材）５、点灯回路７および遠隔制御受信部８は、照明器具本体２の筐体に固定されている。
【００２３】
照明器具１は、大小２つの円形の蛍光ランプ３を備える。以下、管径とは蛍光ランプ３の管の太さ（直径）を示し、管長とは蛍光ランプ３の環形の大きさ（直径）を示す。蛍光ランプ３は、管径および管長を基準寸法とする。蛍光ランプ３は、照明器具本体２と電気的接続を行うためのランプピンを備える。ランプソケット４は、ランプピン受けとランプ押さえから構成される。ランプピン受けは、蛍光ランプ３のランプピンが挿入できるようになっており、照明器具本体２と蛍光ランプ３を電気的に接続することができる。ランプ押さえは、蛍光ランプ３を固定し、照明器具本体２と蛍光ランプ３を電気的に接続した状態を維持することができる。ランプソケット４と２つのランプホルダ５を蛍光ランプ３の環形に等間隔に配置する。
【００２４】
ランプホルダ５は、回転軸５１と、アーム５２と、ホルダ台５３と、を備える。アーム５２は線対称の形状であり、対称軸を線分Ｌとする。また、アーム５２の回転軸５１を中心とした回動と、アーム５２の開閉は、同じ平面内で行われる。便宜的に、蛍光ランプ３の環の内側にあるアーム５２をアーム５２ａ、環の外側にあるアーム５２をアーム５２ｂ、とする。線分Ｌ上にあって、アーム５２が開閉するときの支点をアーム支点５２ｃとおく。
【００２５】
蛍光ランプ３の放電する経路に直交する方向の断面の中心を中心Ｏとする。中心Ｏを通り、照明器具本体２の取り付け面Ｂに垂直な線を垂線Ｓとおく。垂線Ｓと取り付け面Ｂが交わる点を中心線Ｎとおく。蛍光ランプ３は環形に放電する経路を有するので、中心線Ｎは円を描く。
【００２６】
あらかじめ照明器具本体２の取り付け面Ｂの中心線Ｎ上に、ランプホルダ５を、ネジなどで固定して取り付けておく。このときアーム５２の向きは、蛍光ランプ３の放電する経路に直交する平面内で回転軸５１を中心として回動可能な向きとなるようにしておき、ホルダ台５３が中心線Ｎ上に位置するように、ランプホルダ５を取り付ける。
【００２７】
ランプホルダ５に蛍光ランプ３を着脱するとき、蛍光ランプ３の中心Ｏは垂線Ｓに沿って移動する。垂線Ｓとランプホルダ５の線分Ｌが一致するとき、左右のアーム５２ａ、５２ｂを等しい距離だけ開閉しながら、アーム５２で蛍光ランプ３を挟持することができる。
【００２８】
ランプホルダ５に蛍光ランプ３を取り付ける場合、アーム５２を開き、アーム５２間の距離を管径より大きくする。アーム５２の間に蛍光ランプ３が納まった状態でアーム５２を閉じ、両側から挟持させる。蛍光ランプ３を用いる場合は、垂線Ｓと線分Ｌが一致した状態であるので、左右のアーム５２ａ、５２ｂは同じ距離だけ開閉し、均等に負荷が加わる。実際の作業においては、まず蛍光ランプ３をアーム５２に添え、そのまま蛍光ランプ３を押し込むようにして、ランプホルダ５に蛍光ランプ３を挟持させる。蛍光ランプ３の中心Ｏを垂線Ｓに沿って動かすことで、蛍光ランプ３へ掛かる負担が最も小さい状態で、蛍光ランプ３の取り付けや取り外しができる。
【００２９】
照明器具１は、天井面または壁面などに、フックを兼ねたコネクタで取り付けられる。照明器具本体２と天井面などの間に、照明器具１を安定させるために、スペーサ１８が介在する。照明器具１はコネクタを介して電力線に接続し、例えば１００Ｖの交流電力が供給される。点灯回路７は電力線に接続し、蛍光ランプ３を点灯させる。照明器具１の点灯制御は、リモコンなどの点灯制御装置（図示せず）で行う。具体的には、照明器具１の遠隔制御受信部８に信号を送信し、点灯回路７に内蔵された論理回路またはその半導体集積回路などを制御することで光源の点灯と消灯を行う。
【００３０】
外装９は、光を透過する材質、例えばアクリルなどで形成される。蛍光ランプ３は、外装９を通して光を照射し、室内全体を照明する。
【００３１】
図２では蛍光ランプ３の管径および管長は基準寸法であり、ランプホルダ５の線分Ｌと垂線Ｓは一致し、蛍光ランプ３の中心Ｏは垂線Ｓの上を移動する。図７のランプホルダ６に置き換えた場合であっても、ランプホルダ６の線分Ｌと垂線Ｓは一致し、蛍光ランプ３の中心Ｏは垂線Ｓの上を移動する。蛍光ランプ３が基準寸法で形成されている場合は、本発明の実施の形態にかかるランプホルダ５であっても、関連する技術のランプホルダ６であっても、蛍光ランプ３に掛かる応力を少なくして、照明器具１へ蛍光ランプ３の着脱が可能となる。
【００３２】
実際の製品においては、基準寸法と一致することはほとんどない。例えば、加工における精度の変動や、材料によるばらつきが生じるなどして、寸法の誤差を有する。そのため、製品には、作り込みの精度等を加味し、一定の品質を維持できる範囲内で、公差が設定されている。
【００３３】
以下、規格寸法公差内ではあるが、管径や管長が異なる場合の蛍光ランプ３０を例に挙げて説明する。図３および図４に示す蛍光ランプ３０は、管径は基準寸法と同じであるが、管長は規格寸法公差の範囲内で基準寸法より大きい場合とする。図３は、本発明の実施の形態に係る支持部材と蛍光ランプとの関係を示す構成概略図で、外装側から見た平面図を示す。図４は図３のＨ−Ｈ線断面図であり、図４（ａ）は蛍光ランプを取り付ける前のランプホルダ、図４（ｂ）は蛍光ランプを取り付けた後のランプホルダを示す。
【００３４】
蛍光ランプ３０の放電する経路に直交する方向の断面の中心を中心Ｏとする。中心Ｏを通り、照明器具本体２の取り付け面Ｂに垂直な線を垂線Ｔとおく。垂線Ｔと取り付け面Ｂが交わる点を中心線Ｍとおく。蛍光ランプ３０は環形に放電する経路を有するので、中心線Ｍは円を描く。中心線Ｍは中心線Ｎを内包する。
【００３５】
蛍光ランプ３０を照明器具本体２に取り付けるとき、ランプソケット４のランプピン受けと蛍光ランプ３０のランプピンを接続させ、電気的接続を行うので、蛍光ランプ３０がランプソケット４に接続する位置は決められる。中心線Ｍはランプソケット４の位置で中心線Ｎと内接するが、取り付け面Ｂの中心線Ｎ上に配置されているランプホルダ５の位置では、中心線Ｍは中心線Ｎより外側にある。すなわち、蛍光ランプ３０はランプホルダ５に納まりにくい位置にある。
【００３６】
関連する技術の、図７に示すランプホルダ６を用いた場合、蛍光ランプ３０を挟持する際に、環の内側にあるアーム５２ａは蛍光ランプ３０に掛かる量が小さいのでほとんど開く必要はないが、環の外側にあるアーム５２ｂは蛍光ランプ３０に掛かる量が大きく、アーム５２ｂを充分に広げる必要がある。蛍光ランプ３０をランプホルダ６に押し込むようにして取り付ける場合、蛍光ランプ３０のアーム５２ｂが掛かる部分に、応力が集中して加わる。片手でアーム５２ｂを広げながら、蛍光ランプ３０をランプホルダ６に嵌め込みしてもよい。しかし、アーム５２ｂを広げるために大きな力を要する。さらに、広げたアーム５２には復元力が作用するため、勢いよくアーム５２ｂが戻り、蛍光ランプ３０に当たる場合がある。
【００３７】
ランプホルダ６で蛍光ランプ３０を支持する力と、ランプソケット４のランプ押さえが蛍光ランプ３０を押さえる力を比べると、押さえる力は支持する力の同等以下であることが多い。そのため、中心線Ｎに並べられたランプホルダ６に蛍光ランプ３０を嵌め込むと、蛍光ランプ３０はランプホルダ６に支持され、ランプソケット４から外れる向きに移動する。また、ランプホルダ６のアーム５２ｂに作用する復元力が蛍光ランプ３０に加えられ、ランプソケット４から外れる向きに応力を受ける。
【００３８】
本発明の実施の形態にかかるランプホルダ５を用いた場合について、説明する。ランプホルダ５のアーム５２は、蛍光ランプ３０の放電する経路に直交する平面内で、中心線Ｎ上にあるホルダ台５３の回転軸５１を中心として回動可能である。
【００３９】
ランプホルダ５に蛍光ランプ３０を着脱するとき、蛍光ランプ３０の中心Ｏは垂線Ｔに沿って移動する。このときアーム５２を回動させて、ランプホルダ５の線分Ｌの傾きを変化させることで、常に線分Ｌが、垂線Ｔ上を移動する蛍光ランプ３０の中心Ｏを通るようにランプホルダ５の位置を変えることができる。例えば、図４（ａ）に示すように蛍光ランプ３０を取り付けようとするときは、回転軸５１を頂点として、垂線Ｓと線分Ｌでなす角Ｘが傾きの大きさとなる。また、図４（ｂ）に示すように蛍光ランプ３０を取り付けたときは、回転軸５１を頂点として、垂線Ｓと線分Ｌでなす角Ｙが傾きの大きさとなり、角Ｙは角Ｘより大きく、傾きが大きくなる。
【００４０】
蛍光ランプ３０を取り付け始めから取り付けるまでの間、線分Ｌの傾きは徐々に大きくなり、その傾斜角は、角Ｘから角Ｙの大きさになる。角Ｘから角Ｙのどの角度においても、線分Ｌは、垂線Ｔ上を移動する蛍光ランプ３０の中心Ｏを通るようにすることができ、線分Ｌと蛍光ランプ３０の中心Ｏが常に対向する状態となる。この状態から蛍光ランプ３０を押し込むと、ランプホルダ５のアーム５２ａ、５２ｂは等しく両側に開き、その間が管径だけ開いたときに、蛍光ランプ３０が嵌まり込む。ランプホルダ５に加える力が小さくて済み、蛍光ランプ３０に掛かる応力が少なくて済むので、簡単に蛍光ランプ３０を取り付けできる。
【００４１】
蛍光ランプ３０を取り付けた後も、蛍光ランプ３０は、掛かる応力は小さく、左右のアーム５２ａ、５２ｂから均等にその反力を受け、力が偏ることもないので、垂線Ｔ上の中心線Ｍに平行な位置に維持される。このとき蛍光ランプ３０を支持しているランプソケット４に、蛍光ランプ３０を外す向きに力が働くことがない。
【００４２】
図５は、本発明の実施の形態に係る支持部材の変形例を示す断面図で、ランプホルダは円弧状のアームを有しており、蛍光ランプの放電する経路に直交する断面を取り囲むようにして支持する。図５（ａ）はアームが弾性体からなるタイプで、アームに蛍光ランプを嵌め込むように支持する。図５（ｂ）は、アームの先に弾性体からなるランプ押さえを有しており、アームとランプ押さえとで蛍光ランプを挟み込むように支持する。
【００４３】
図５（ａ）のランプホルダ５０ａは、円弧状のアーム５４を備え、そのアーム５４の一部を回転軸５１に支持されている。アーム５４が固定されている場合、蛍光ランプ３０を取り付けると、蛍光ランプ３０の保持が不充分となる。もしくは、アーム５４が蛍光ランプ３０を外す向きに押すことで、ランプソケット４での接続が不充分となる。また、弾性体からなるアーム５４を変形させるために、無理な力を加えなければならなかったり、アーム５４の復元力により蛍光ランプ３０に大きな応力がかかり、アーム５４が蛍光ランプ３０に当たる場合がある。
【００４４】
本実施の形態におけるランプホルダ５０ａは、回転軸５１を中心にアーム５４が回動する。蛍光ランプ３０の位置に合わせてアーム５４を傾け、ランプホルダ５０ａのアーム５４の開口する位置を動かすことができ、蛍光ランプ３０にかかる応力が少ない状態で、蛍光ランプ３０を嵌め込むことができ、簡単に蛍光ランプ３０の着脱が行える。また、蛍光ランプ３０の大きさに合わせた位置にランプホルダ５０ａで支持することができ、無用な応力をかけることがない。そのため、蛍光ランプ３０の全体をある方向に付勢したり、蛍光ランプ３０を拡大または縮小する方向に応力をかけることなく保持することができ、蛍光ランプ３０とランプソケット４との間に余分な応力が生じにくい。
【００４５】
図５（ｂ）のランプホルダ５０ｂは、アーム５４の先にあるランプ押さえ５５で、ランプ押さえ５５を有する。蛍光ランプ３０の交換は、アーム５４が開口するようにランプ押さえ５５を開いた状態で行う。このランプホルダ５０ｂは、アーム５４の回動が行われなくても、蛍光ランプ３０の着脱が容易にできる。しかし、アーム５４が回動することで、蛍光ランプ３０の管径や管長が異なるときであっても、大きさに合わせて蛍光ランプ３０の位置を調整できる。余分な応力をかけずに蛍光ランプ３０をランプホルダ５０ｂで支持し、照明器具本体２に取り付けることで、蛍光ランプ３０とランプソケット４およびアーム５４との間に余分な応力が発生するのを防止する。
【００４６】
図６は、本発明の実施の形態に係る支持部材の変形例を示す断面図である。ランプホルダのアームの形状は関連する技術のランプホルダと同じ形状であるが、ホルダ台にスライド機構を有しており、蛍光ランプの放電する経路で張られる平面と平行に移動可能である。
【００４７】
ランプホルダ５０は、ホルダ台５３にスライド機構５６を備え、アーム５２をホルダ台５３上で移動することができる。蛍光ランプ３０の中心Ｏが、垂線Ｓ上にないときであっても、スライド機構５６によりアーム５２を移動することで、線分Ｌの位置を移動することができ、線分Ｌと垂線Ｓを一致させることができる。したがって、蛍光ランプ３０に掛かる応力が最も少ない状態で、蛍光ランプ３０の着脱が可能となる。また、掛かる応力が少ない状態を維持できるので、蛍光ランプ３０と照明器具本体２を嵌合したままに保つことができる。
【００４８】
さらに、ランプホルダ５０は、回転軸５１とスライド機構５６とを兼ね添えた機能を有していてもよい。蛍光ランプ３０の位置に合わせて、ランプホルダ５０を平行に移動し、かつ回動させることで、蛍光ランプ３０を小さい力で取り付けや取り外しができ、保持している間に掛かる応力を少なくできる。蛍光ランプ３０の着脱の際に簡単かつ安全に作業ができ、蛍光ランプ３０を照明器具本体２に保持し、嵌め合わせた状態を維持できる。
【００４９】
以上、説明したように、本発明によれば、蛍光灯の交換が安全かつ容易に行うことができる。
【００５０】
さらに、照明器具に備えられている関連する技術のランプホルダ（支持部材）を、本発明の支持部材と交換することが可能である。支持部材はネジなどで固定されているので簡単に交換でき、照明器具本体を交換することなく、蛍光灯の交換が安全かつ容易に行うことができる機能を付加することができる。
【００５１】
前記の照明器具においては、円環の蛍光ランプを例に挙げて説明しているが、蛍光ランプは円環に限らず、Ｕ字形状や楕円形など、任意の形状の蛍光ランプにも本発明は適用できる。
【００５２】
その他、前記の照明器具の形状や種類、照明器具に備える蛍光ランプの数、蛍光ランプの管径および管長は一例であり、管径が大きい場合や小さい場合、管長が大きい場合や小さい場合、もしくはそれらの組合せの場合であってもよい。また、本実施の形態の例で示した、ランプホルダ（支持部材）の形状や材質、取り付ける位置や数などは一例であり、任意に変更および修正が可能である。
【００５３】
その他、本発明の好適な変形として、以下の構成が含まれる。
【００５４】
本発明の第１の観点に係る照明器具について、好ましくは、前記支持部材は、前記蛍光灯を前記照明器具に取り付けたときの前記蛍光灯の放電する経路で張られる平面と平行に移動可能であることを特徴とする。
【００５５】
好ましくは、前記支持部材は、前記支点を中心に回動可能であることを特徴とする。
【００５６】
さらに好ましくは、前記支持部材は、前記蛍光灯を前記照明器具に取り付けたときの前記蛍光灯の放電する経路で張られる平面と平行に移動可能であって、かつ、前記支点を中心に回動可能であることを特徴とする。
【００５７】
好ましくは、前記支持部材は、前記蛍光灯の放電する経路に直交する断面を取り囲むように支持する円弧状のアームを備えることを特徴とする。
【００５８】
さらに好ましくは、前記支持部材は、前記蛍光灯の放電する経路に直交する断面を両側から挟み込むように支持する２本のアームを備えることを特徴とする。
【図面の簡単な説明】
【００５９】
【図１】本発明の実施の形態に係る直付け照明器具の斜視図である。
【図２】本発明の実施の形態に係る支持部材と蛍光ランプとの関係を示す構成概略図である。（ａ）は外装側から見た平面図であり、（ｂ）は（ａ）のＧ−Ｇ線断面図である。
【図３】本発明の実施の形態に係る支持部材と蛍光ランプとの関係を示し、外装側から見た平面図である。蛍光ランプが基準寸法と異なる場合を示す。
【図４】図３のＨ−Ｈ線断面図である。（ａ）は蛍光ランプを取り付ける前、（ｂ）は蛍光ランプを取り付けた後を示す。
【図５】本発明の実施の形態に係る支持部材の変形例を示す断面図である。
【図６】本発明の実施の形態に係る支持部材の変形例を示す断面図である。
【図７】関連する技術の支持部材（蛍光ランプホルダ）の一例を示す断面図である。
【符号の説明】
【００６０】
１    照明器具
２    照明器具本体
３、３０    蛍光ランプ
４    ランプソケット
５、６    ランプホルダ（支持部材）
５１    回転軸
５２、５４    アーム
５２ｃ  アーム支点
５３    ホルダ台
５６    スライド機構
Ｌ    線分
Ｍ、Ｎ    中心線
【図１】
2010097782.tif 000003
【図２】
2010097782.tif 000004
【図３】
2010097782.tif 000005
【図４】
2010097782.tif 000006
【図５】
2010097782.tif 000007
【図６】
2010097782.tif 000008
【図７】
2010097782.tif 000009